(57)【要約】【課題】  一般車両において、車両に載せている荷物リストを常に自動的に更新でき、しかも、遠隔地において、自動更新された荷物リストを確認できるようにする。【解決手段】  車両側に、車両内への荷物の積み込みもしくは取出しを検出する後部扉開閉センサ８と、該センサ８により荷物の積み込みもしくは取出しが検出されたことを条件に、該荷物に添付されたＲＦタグの荷物情報を無線通信により読み込むリーダライタ９と、読み取った荷物情報を記憶する荷物情報用メモリ７と、携帯電話３からの要求により記憶した荷物情報を応答する制御部５とを備えている。また、携帯電話３に、荷物情報要求指令をするための操作部１９と、車両側へ荷物情報要求指令を出力する制御部１３と、荷物情報要求指令に対する荷物情報の応答があったときには、該荷物情報を前記表示部１５に表示させる表示制御部１６とを備えている。【選択図】  図１
2006131374.tif 000002
【特許請求の範囲】
【請求項１】
車両に設けられ、車両内への荷物の積み込みもしくは取出しを検出する荷物出し入れ検出手段と、
車両に設けられ、前記荷物出し入れ検出手段により荷物の積み込みもしくは取出しが検出されたことを条件に、該荷物に添付された情報記録媒体の荷物情報を無線通信により読み込む荷物情報読取手段と、
この荷物情報読取手段により読み取った荷物情報を記憶する荷物情報記憶手段と、
前記車両に設けられ、外部と無線通信する車両側無線通信手段と、
この車両側無線通信手段を介して荷物情報要求指令を受けたときに前記荷物情報記憶手段の荷物情報を読み出して該車両側無線通信手段を介して返信する応答手段と、
ユーザーが携帯可能な携帯端末に設けられ、荷物情報要求をするための入力手段と、
前記携帯端末に設けられ、前記車両側無線通信手段と直接または間接的に通信可能な携帯端末側無線通信手段と、
前記携帯端末に設けられた表示手段と、
前記携帯端末に設けられ、前記入力手段による荷物情報要求があったときに荷物情報要求指令を前記端末側無線通信手段を介して出力する要求指令出力手段と、
前記携帯端末に設けられ、前記車両側無線通信手段から前記携帯端末側無線通信手段を介して該荷物情報要求指令に対する荷物情報の応答があったときには、該荷物情報を前記表示手段に表示させる表示制御手段と
を備えたことを特徴とする搭載荷物遠隔確認システム。
【請求項２】
請求項１に記載の搭載荷物遠隔確認システムにおいて、
前記荷物出し入れ検出手段は、車両の荷物収容部の扉の開閉を検出する扉開閉検出センサから構成されていることを特徴とする搭載荷物遠隔確認システム。
【請求項３】
請求項１又は２に記載の搭載荷物遠隔確認システムにおいて、
車両には荷物の収容状況を撮影するカメラが備えられ、
携帯端末から撮影画像要求の指令があったときには、車両の応答手段は前記カメラによる撮影画像情報を携帯端末に送信することを特徴とする搭載荷物遠隔確認システム。
【請求項４】
請求項１ないし３のいずれかの搭載荷物遠隔確認システムにおいて、
情報記録媒体の荷物情報には、当該荷物の保管条件が含まれており、
車両には、前記保管条件を監視するための保管条件監視センサが備えられ、
この保管条件監視センサによるセンサ情報が前記保管条件から外れたときには、その旨を携帯端末に送信することを特徴とする搭載荷物遠隔確認システム。
【発明の詳細な説明】
【技術分野】
【０００１】
本発明は、車両に搭載された荷物の情報を携帯端末で確認する搭載荷物遠隔確認システムに関する。
【背景技術】
【０００２】
車両における積載物を管理する装置としては、特許文献１や特許文献２に示されるものがある。特許文献１のものは、ごみ収集車や、鉱石や砂利、砕石等の運搬車建設材料の運搬車において、車両にＩＤタグを配置して、車両単位で荷物の重量情報などを管理するものであった。
【０００３】
また、特許文献２のものでは、配送される貨物に電子タグを取付け、この電子タグを配送受付システムに置かれた電子タグリーダーにより読み取って貨物の配送情報を取得するようにしている。上記配送受付システムは、メーカーや、卸し、小売業者、コンビニエンスストアなどに設置される。
【特許文献１】特開平６−２２１９０１号公報
【特許文献２】特開２００１−２２５９２６号公報
【発明の開示】
【発明が解決しようとする課題】
【０００４】
前記特許文献１、２のものは、貨物や積載物の積み下ろしの際には、逐一タグ情報を読み取り器でチェックして、貨物や積載物の動きを把握する必要があり、極めて面倒である。しかもこのような積載物管理システムでは、トラックや、貨物台車を対象としており、一般車両で荷物を頻繁に積みおろしする場合には適用できないものあった。
【０００５】
本発明は上述の事情に鑑みてなされたものであり、その目的は、一般車両において、荷物を積み下ろしした場合に、車両に載せている荷物リストを常に自動的に更新でき、しかも、遠隔地において、自動更新された荷物リストを確認できる搭載荷物遠隔確認システムを提供するにある。
【課題を解決するための手段】
【０００６】
上記目的を達成するために、請求項１の発明においては、車両に、車両内への荷物の積み込みもしくは取出しを検出する荷物出し入れ検出手段と、前記荷物出し入れ検出手段により荷物の積み込みもしくは取出しが検出されたことを条件に、該荷物に添付された情報記録媒体の荷物情報を無線通信により読み込む荷物情報読取手段とを備えている。
【０００７】
また任意部位に、この荷物情報読取手段により読み取った荷物情報を記憶する荷物情報記憶手段を備えている。さらに、前記車両に、外部と無線通信する車両側無線通信手段と、この車両側無線通信手段を介して荷物情報要求指令を受けたときに前記荷物情報記憶手段の荷物情報を読み出して該車両側無線通信手段を介して返信する応答手段とを備えている。また、ユーザーが携帯可能な携帯端末に、荷物情報要求をするための入力手段と、前記車両側無線通信手段と直接または間接的に通信可能な携帯端末側無線通信手段と、前記携帯端末に設けられた表示手段と、前記入力手段による荷物情報要求があったときに荷物情報要求指令を前記端末側無線通信手段を介して出力する要求指令出力手段と、前記車両側無線通信手段から前記携帯端末側無線通信手段を介して該荷物情報要求指令に対する荷物情報の応答があったときには、該荷物情報を前記表示手段に表示させる表示制御手段とを備えている。
【０００８】
この請求項１によれば、荷物出し入れ検出手段により、車内への荷物の積み込みあるいは取り出しが検出され、その都度、荷物情報読取手段により、情報記録媒体の荷物情報が自動的に無線通信により読み込まれ、荷物情報記憶手段に記憶される。つまり、ユーザーが荷物を出し入れする度に荷物リストが更新されることになる。
【０００９】
そして、ユーザーが携帯端末の入力手段により荷物情報要求をすると、要求指令出力手段により、荷物情報要求指令が携帯端末側無線通信手段を介して出力される。この荷物情報要求指令が車両側無線通信手段と直接または間接的に通信可能な携帯端末側無線通信手段を介して受信されると、前記荷物情報記憶手段の荷物情報が車両側無線通信手段を介して返信され、携帯端末では表示制御手段によりこの荷物情報を表示手段に表示させる。従って、ユーザーは車両から離れた遠隔地において車両内の荷物リストを確認できる。
【００１０】
この場合、前記荷物出し入れ検出手段を、車両の荷物収容部の扉の開閉を検出する扉開閉検出センサから構成しても良く（請求項２の発明）、このようにすると、荷物を積み込むときあるいは取出すときには荷物収容部の扉が必ず開閉されるので、荷物の積み込みあるいは取出しを確実に検出できる。
【００１１】
また、車両に、荷物の収容状況を撮影するカメラを備え、携帯端末から撮影画像要求の指令があったときには、車両側では前記カメラによる撮影画像情報を携帯端末に送信するようにしても良く（請求項３の発明）、このようにすると、ユーザーは車両から離れた遠隔地において、車両内の荷物の様子を画像により確認できて、便利である。
【００１２】
また、情報記録媒体の荷物情報に、当該荷物の保管条件を含ませ、車両に、前記保管条件を監視するための保管条件監視センサを設け、この保管条件監視センサによるセンサ情報が前記保管条件から外れたときには、その旨を携帯端末に送信するようにしても良く（請求項４の発明）、このようにすると、車両内の荷物の保管状況を車両から離れた遠隔地から監視することができて便利である。
【発明を実施するための最良の形態】
【００１３】
以下、本発明の一実施例につき図面を参照して説明する。図１は、搭載荷物遠隔確認システム１の電気的構成のブロック図である。この搭載荷物遠隔確認システム１は、車両（例えばワンボックスカー）２１（図２参照）に搭載された車載装置２と、携帯端末たる例えば携帯電話３、センター局４とを示している。
【００１４】
車載装置２には、制御部５、車両側無線通信手段たる送受信部６、荷物情報記憶手段たる荷物情報用メモリ７と、荷物出し入れ検出手段たる後部扉開閉センサ８と、荷物情報読取手段たるリーダライタ９と、車両２１の荷物収容部２２を撮影するカメラ１０と、荷物収容部の温度を検出する保管条件監視センサとして例えば温度センサ１１とが含まれている。
【００１５】
前記制御部５は、ＣＰＵや、ＲＯＭ及びＲＡＭなどのメモリなどを備えてなり、応答手段として機能する。送受信部６は復調機能、及び変調機能を備えてなり、復調機能は、アンテナ６ａにおいて受信し増幅した受信信号を復調して、制御部５に供給する。また、変調機能は、前記制御部５から応答情報が与えられると、これを変調してアンテナ６ａから送信する。
【００１６】
荷物情報用メモリ７は、例えば、不揮発性メモリから構成されており、荷物情報が記憶される。後部扉開閉センサ８は、例えば扉スイッチから構成されており、この扉スイッチは後部扉２３の開放にてオフしてオフ信号を出力し、閉塞にてオンしてオン信号を出力するものである。リーダライタ９は車両２１の荷物収容部２２の例えば天井部分に取り付けられており、荷物収容部２２に収容された荷物Ｗに備えられた情報記録媒体としての例えばＲＦタグ１２（図２参照）と無線通信可能に構成されている。なお、ＲＦタグ１２はこのリーダライタ９から電磁波の供給を受けて電源を生成するようになっている。
【００１７】
カメラ１０は上記荷物収容部２２を撮影し得るように例えば天井部分に取り付けられており、その撮影画像は制御部５に供給されるようになっている。また、温度センサ１１は前記荷物収容部２２内の温度を検出可能なように例えば荷物収容部２２側部に設けられており、これの検出温度は制御部５に供給される。
【００１８】
携帯電話３において、この搭載荷物遠隔確認システム１に係る構成要素としては、制御部１３と、携帯側無線通信手段たる送受信部１４と、表示手段たる表示部１５と、表示部１５を駆動制御する表示制御手段たる表示制御部１６と、音声出力部１７と、音声出力部１７を駆動制御する音声処理部１８と、入力手段たる操作部１９が含まれている。上記制御部１３は、ＣＰＵや、ＲＯＭ及びＲＡＭなどのメモリなどを備えてなり、要求指令出力手段として機能する。
【００１９】
前記送受信部１４は、復調機能、及び変調機能を備えてなり、復調機能は、無指向性のアンテナ２０ａを介して受信し増幅した受信信号を復調して、後述する車載装置３からの応答を制御部１３に供給する。また、変調機能は、制御部１３に探索要求指令が与えられると、この制御部１３からこの探索要求指令を受けて、所定周波数の搬送波に探索要求指令を含むコードを乗せるように変調して探索要求指令信号をアンテナ１４ａから出力する。なお、上記送受信部１４、表示部１５、表示制御部１６と、音声出力部１７と、音声処理部１８と、操作部１９は携帯電話３が予め備えたものを利用している。センター局４は、車載装置２と携帯電話３との通信を中継する。操作部１９は多数のキー及びキースイッチを有して構成されている。前記ＲＦタグ１２には、荷物の名称、荷物の重さ、保管条件（例えば、上限温度或いは下限温度）などの荷物情報が入力されている。
【００２０】
さて、車載装置２側の制御部５の制御内容について図３及び図４を参照して説明する。制御部５は逐次後部扉の開閉を監視プログラムを実行している。このプログラムを図３に示している。ステップＰ１では、後部扉開閉センサ８から扉開閉検知信号が有った（扉閉検知信号があって且つ扉閉検知信号があった）か否かを判断する（荷物出し入れ検出手段）。上記扉開閉検知信号があったときには、ステップＰ２で一定時間を待機した後、ステップＰ３で、リーダライタ９により、荷物収容部２２内の各荷物ＷのＲＦタグ１２と無線通信して各荷物情報を読み込む。
【００２１】
ステップＰ４では、荷物情報用メモリ７内の荷物情報（前回記憶した荷物情報）と、今回読み込んだ荷物情報とを比較して、荷おろし、新規積み込み等を認識して荷物情報用メモリ内の荷物履歴として記憶させる。そして、ステップＰ５ではステップＰ３で読み込んだ今回の荷物情報を荷物情報用メモリ７に記憶する。これにより、常に、荷物収容部２２に収容されている荷物の荷物情報を制御部５において認識可能となる。
【００２２】
また、制御部５は、保管条件監視制御プログラムを逐次実行するようになっている。この保管条件監視制御プログラムの内容を図４に示している。ステップＱ１では、温度センサ１１から検出温度を読み込む。そしてステップＱ２で、荷物上方に含まれる保管条件を外れているか否かを判断し、外れているときには、ステップＱ３で、保管警告情報を、送受信部６から、センター局４を介して携帯電話３に送信する。
【００２３】
さらに、制御部５は携帯電話３からの送信信号の受信を監視しており、受信内容に応じた処理を実行するようになっている。この制御内容を図５に示している。ステップＲ１で携帯電話３からの送信信号を受信したか否かを判断し、受信すると、ステップＲ２で荷物情報要求指令か否かを判断する。荷物情報要求指令であれば、ステップＲ３で、荷物情報用メモリ７から現在記憶している荷物情報を読み出して、ステップＲ４で荷物情報を携帯電話３に送信する。ステップＲ５で、画像情報要求指令であることが判断されれば、ステップＲ６で、カメラ１０により収容部内を撮影し、ステップＲ７で撮影画像を携帯電話３に送信する。
【００２４】
携帯電話３の制御部１３の制御内容を図６に示している。ステップＳ１で操作部１９から荷物情報要求有りか否かを判断し、荷物要求情報が有ったときには、ステップＳ２で、荷物情報要求指令を車載装置２へ送信する。またステップＳ３で、操作部１９から画像情報要求があると判断されると、ステップＳ４で画像情報要求指令を送信する。
【００２５】
また、ステップＳ５で、受信有りが判断されると、ステップＳ６で荷物情報要求指令に対する応答であるか否かを判断し、荷物情報要求指令に対する応答であると、ステップＳ７で、音声出力部１７から荷物情報リスト受信を知らせる音声を出力すると共に、応答に含まれる荷物情報リストを表示部１５に表示させる。
【００２６】
また、ステップＳ８で、画像情報要求指令に対する応答であることが判断されると、ステップＳ９で、音声出力部１７から画像情報受信を知らせる音声を出力すると共に、その応答に含まれる画像情報を表示部１５に表示させる。また、ステップＳ１０で保管警告信号であるか否かを判断し、保管警告信号であるときには、ステップＳ１１で警告内容を表示部１５に表示させると共に、音声出力部１７から警告内容の音声を出力させる。
【００２７】
このように本実施例によれば、後部扉開閉センサ８により、車内への荷物の積み込みあるいは取り出しが検出され、その都度、リーダライタ９により、荷物ＷにおけるＲＦタグ１２の荷物情報が無線通信により読み込まれ、荷物情報用メモリ７に記憶されるから、ユーザーが荷物を出し入れする度に荷物リストを最新のものに更新することができる。この場合、荷物Ｗの荷おろしや積み込みの経緯を知ることも可能となる。
【００２８】
そして、ユーザーが携帯電話３の操作部１９により荷物情報要求をすると、制御部１３により、この荷物情報要求指令が送受信部１４を介して出力される。センター局４を中継して、車載装置２の送受信部６においてこの荷物情報要求指令が受信されると、荷物情報用メモリ７の荷物情報が返信され、携帯電話３側では制御部１３によりこの荷物情報が表示部１５に表示させる。従って、ユーザーは車両２１から離れた遠隔地において車両２１内の荷物リストを確認できる。
【００２９】
この場合、荷物出し入れ検出手段として、車両２１の荷物収容部２２の後部扉２３の開閉を検出する後部扉開閉センサ８から構成したから、荷物を積み込むときあるいは取出すときには荷物収容部２２の扉が必ず開閉されるので、荷物の積み込みあるいは取出しを確実に検出できる。
【００３０】
また、車両２１に、荷物の収容状況を撮影するカメラ１０を備え、携帯電話３から撮影画像要求の指令があったときには、車両２１側では前記カメラによる撮影画像情報を携帯電話３に送信するようにしたから、ユーザーは車両２１から離れた遠隔地において、車両２１内の荷物の様子を画像により確認できて、便利である。特に、防犯にも効果的である。
【００３１】
また、ＲＦタグ１２の荷物情報に、当該荷物Ｗの保管条件を含ませ、車両２１に、前記保管条件を監視するためのセンサこの場合温度センサ１１を設け、この温度センサ１１によるセンサ情報が前記保管条件から外れたときには、その旨を携帯電話３に送信するようにしたから、車両２１内の荷物Ｗの保管状況を車両２１から離れた遠隔地から監視することができて便利である。携帯端末として携帯電話３を利用するようにしたので、ユーザーが常に携帯していて、実用的である。
【００３２】
なお、本発明の実施例は次のようにしても良い。荷物情報用メモリ７はセンター局４に設けても良い。車両としては、ワンボックスカー以外に、ＲＶ車、セダン等でも良い。保管条件としては温度条件の他に、例えば賞味期限など種々考えられる。温度センサは車両が備えたエアコンの温度センサを利用しても良い。また、車両側と携帯端末側とで直接無線通信するようにしても良い。携帯端末としては携帯電話に限れず、専用の携帯端末でも良い。
【図面の簡単な説明】
【００３３】
【図１】本発明の一実施例を示す搭載荷物遠隔確認システムの電気的構成のブロック図
【図２】搭載荷物遠隔確認システムの概略構成図
【図３】車両側の制御部の制御内容を示すフローチャート
【図４】同制御部の別の制御内容を示すフローチャート
【図５】同制御部のさらに異なる制御内容を示すフローチャート
【図６】携帯電話側の制御部の制御内容を示すフローチャート
【符号の説明】
【００３４】
図面中、１は搭載荷物遠隔確認システム、２は車載装置、３は携帯電話（携帯端末）、５は制御部（応答手段）、６は送受信部（車両側無線通信手段）、７は荷物情報用メモリ（荷物情報記憶手段）、８は後部扉開閉センサ（荷物出し入れ検出手段）、９はリーダライタ（荷物情報読取手段）、１０はカメラ、１１は温度センサ（保管条件監視センサ）、１２はＲＦタグ（情報記録媒体）、１３は制御部（要求指令出力手段、表示制御手段）、１４は送受信部（携帯端末側無線通信手段）、１５は表示部（表示手段）、１９は操作部（入力手段）を示す。
【図１】
2006131374.tif 000003
【図２】
2006131374.tif 000004
【図３】
2006131374.tif 000005
【図４】
2006131374.tif 000006
【図５】
2006131374.tif 000007
【図６】
2006131374.tif 000008